(57)【特許請求の範囲】
【請求項１】
エネルギアブソーバシステムにおいて、
第１端部と、第２端部と、前記第１端部と前記第２端部との間の中間部分を有する第１ウェッビングストリップと、
第１端部と、第２端部と、前記第１端部と前記第２端部との間の中間部分を有する第２ウェッビングストリップと、
前記第１および第２のウェッビングストリップの前記中間部分を結合し、所望の引裂強度を有する前記第１および第２のウェッビングストリップの中央に位置する中間部を形成する複数の引裂糸であって、前記第１および第２のウェッビングストリップの前記中間部が、所望の引裂強度を有する前記第１および第２のストリップの前記中間部内、および、前記所望の引裂強度を有する前記第１および第２のウェッビングストリップの前記中間部の中央に位置する部分近傍に位置する、移行する引裂強度を有する少なくとも１つの引裂糸減少構成を含む、複数の引裂糸と、
前記第１ウェッビングストリップの前記第１端部および前記第２ウェッビングストリップの前記第２端部が結合する第１連結部材と、
前記第２ウェッビングストリップの前記第１端部および前記第１ウェッビングストリップの前記第２端部が結合する第２連結部材とを含み、落下事故の際に、前記第１および第２の連結部材が互いに引き離されるとき、前記第１および第２のウェッビングストリップの前記中間部を保持する前記引裂糸は、そこで前記第１および第２のストリップの前記中間部の両端から、ほぼ同時に引き裂かれ、前記第１および第２のウェッビングストリップが分離されるまでエネルギを吸収する、ことを特徴とするエネルギアブソーバシステム。
【請求項２】
請求項１に記載のエネルギアブソーバシステムにおいて、
ねじれを含む前記第１ウェッビングストリップをさらに備える、ことを特徴とするエネルギアブソーバシステム。
【請求項３】
請求項１に記載のエネルギアブソーバシステムにおいて、
コイル状に巻かれた、前記第１および第２のウェッビングストリップの前記中間部をさらに備える、ことを特徴とするエネルギアブソーバシステム。
【請求項４】
請求項１に記載のエネルギアブソーバシステムにおいて、
さらに、前記第１および第２のウェッビングストリップの前記中間部は、前記中間部の前記中央に位置する部分に位置する、引裂糸がない非付着部を含む、ことを特徴とするエネルギアブソーバシステム。
【請求項５】
請求項４に記載のエネルギアブソーバシステムにおいて、
前記第１および第２のウェッビングストリップの前記中間部の前記少なくとも１つの引裂糸減少構成は、それぞれ前記中央に位置する非付着部に続く移行引裂強度部分を生成する引裂糸構成を有する一対の減少部分を含む、ことを特徴とするエネルギアブソーバシステム。
【請求項６】
請求項１に記載のエネルギアブソーバシステムにおいて、
前記第１ウェッビングストリップの前記第１端部および前記第２ウェッビングストリップの前記第２端部を、前記第１連結部材に結合するように構成される第１ステッチ領域と、
前記第２ウェッビングストリップの前記第１端部および前記第１ウェッビングストリップの前記第２端部を、前記第２連結部材に結合するように構成される第２ステッチ領域と
をさらに備えることを特徴とするエネルギアブソーバシステム。
【請求項７】
請求項１に記載のエネルギアブソーバシステムにおいて、
第１連結開口と、前記第１連結部材の前記第１コネクタ開口を通過する前記第１ウェッビングストリップの前記第１端部および前記第２ウェッビングストリップの前記第２端部とを有する前記第１連結部材と、
第２連結開口と、前記第２連結部材の前記第２コネクタ開口を通過する前記第１ウェッビングストリップの前記第２端部および前記第２ウェッビングストリップの前記第１端部とを有する前記第２連結部材と
をさらに備えることを特徴とするエネルギアブソーバシステム。
【請求項８】
エネルギアブソーバにおいて、
第１ウェッビング第１端部と、反対側の第１ウェッビング第２端部とを有する第１ウェッビングストリップと、
第２ウェッビング第１端部と、反対側の第２ウェッビング第２端部とを有する第２ウェッビングストリップと、
前記第１ウェッビングストリップの前記第１ウェッビング第１端部が前記第２ウェッビングの前記第２ウェッビング第１端部近傍に位置し、前記第１ウェッビングの前記第１ウェッビング第２端部が前記第２ウェッビングの前記第２ウェッビング第２端部近傍に位置するようにして、前記第１ウェッビングストリップの中央部分を、前記第２ウェッビングストリップの中央部分に結合し、前記第１および第２のウェッビングストリップの中間部を形成する複数の引裂糸であって、前記第１および第２のウェッビングストリップの前記中間部は、引裂糸がない中央に位置する非付着部を有する、複数の引裂糸と、
前記第１ウェッビングストリップの前記第１ウェッビング第１端部および前記第２ウェッビングの前記第２ウェッビング第２端部を、第１コネクタに結合するように構成および配置される第１コネクタ部と、
前記第１ウェッビングストリップの前記第１ウェッビング第２端部および前記第２ウェッビングの前記第２ウェッビング第１端部を、第２コネクタに結合するように構成および配置される第２コネクタ部と
を備えることを特徴とするエネルギアブソーバ。
【発明の詳細な説明】
【技術分野】
【０００１】
高所で作業しなければならない作業者を保護するために、多くの場合、作業者が装着する安全ベルトに結合する命綱が必要とされる。落下事故が起きた場合、命綱（支持構造体に連結）により作業者の落下は限定される。命綱が張られた状態になる前の落下距離がかなり大きい場合、作業者は、命綱システムを用いても受傷する可能性がある。エネルギアブソーバは命綱システムに加えられ、命綱がその中で張られた状態になるときの急停止を防ぎ、怪我の可能性を少なくする。エネルギアブソーバは、落体の運動エネルギ（すなわち、落下する作業者の運動エネルギ）の一部を吸収することによって機能する。ばねタイプの装置および変形する金属の装置など、さまざまなタイプのエネルギアブソーバが過去に実現されてきた。しかし、この種の装置は、大きくて、比較的重い傾向がある。
【発明の概要】
【０００２】
上述した理由、および、本明細書を読んで理解することにより当業者に明らかになるであろう後述するその他の理由のために、従来技術においては、効果的で、効率的で、小型のエネルギアブソーバの必要性がある。
【０００３】
上述した現在のシステムに関する問題点は、本発明の実施形態により対処されるとともに、以下の明細書を読んで検討することにより理解されるものとなるであろう。以下の概要は一例であり、限定ではない。これは、単に、読み手が本発明の態様のいくつかを理解するのを補助するために与えられるものに過ぎない。
【０００４】
１つの実施形態において、エネルギアブソーバシステムが提供される。エネルギアブソーバシステムは、第１および第２のウェッビングストリップを含む。第１ウェッビングストリップは、第１端部と、第２端部と、第１端部と第２端部との間の中間部分とを有する。第２ウェッビングストリップは、第１端部と、第２端部と、第１端部と第２端部との間の中間部分とを有する。複数の引裂糸は、第１および第２のウェッビングストリップの中間部分を結合し、第１および第２のウェッビングストリップの中央に位置する中間部を形成する。エネルギアブソーバシステムは、第１連結部材と第２連結部材とをさらに含む。第１ウェッビングストリップの第１端部および第２ウェッビングストリップの第２端部は、第１連結部材に結合される。第２ストリップウェッビングの第１端部および第１ウェッビングストリップの第２端部は、第２連結部材に結合され、落下事故の際に、第１および第２の連結部材が互いに引き離されるとき、第１および第２のウェッビングストリップの中間部を保持する引裂糸は、そこで第１および第２のストリップの中間部の両端から、ほぼ同時に引き裂かれ、第１および第２のウェッビングストリップが分離されるまでエネルギを吸収する。
【０００５】
別の実施形態において、別のエネルギアブソーバが提供される。エネルギアブソーバは、第１および第２のウェッビングストリップと、複数の引裂糸と、第１および第２の連結部とを含む。第１ウェッビングストリップは、第１ウェッビング第１端部と、反対側の第１ウェッビング第２端部とを有する。第２ウェッビングストリップは、第２ウェッビング第１端部と、反対側の第２ウェッビング第２端部とを有する。複数の引裂糸は、第１ウェッビング第１端部が第２ウェッビング第１端部近傍に位置し、第１ウェッビング第２端部が第２ウェッビング第２端部近傍に位置するようにして、第１ウェッビングストリップの中央部分を、第２ウェッビングストリップの中央部分に結合し、第１および第２のウェッビングストリップの中間部を形成する。第１および第２のウェッビングストリップの中間部は、引裂糸がない中央に位置する非付着部を有する。第１コネクタ部は、第１ウェッビングストリップの第１ウェッビング第１端部および第２ウェッビングストリップの第２ウェッビング第２端部を、第１コネクタに結合するように構成および配置される。第２コネクタ部は、第１ウェッビングストリップの第１ウェッビング第２端部および第２ウェッビングストリップの第２ウェッビング第１端部を、第２コネクタに結合するように構成および配置される。
【０００６】
さらに別の実施形態において、別のエネルギアブソーバシステムが提供される。エネルギアブソーバシステムは、第１および第２のウェッビングストリップを含む。第１ウェッビングストリップは、第１ウェッビング第１端部と、第１ウェッビング第２端部と、第１ウェッビング第１端部と第１ウェッビング第２端部との間に位置する第１中央部とを有する。第２ウェッビング第１端部と、第２ウェッビング第２端部と、第２ウェッビング第１端部と第２ウェッビング第２端部との間の第２中央部とを有する第２ウェッビングストリップ。複数の引裂糸は、第１ウェッビングの第１中央部を、第２ウェッビングの第２中央部に結合し、第１および第２のウェッビングストリップの中間部を形成し、第１ストリップの第１ウェッビング第１端部は、第２ストリップの第２ウェッビング第１端部近傍に位置し、第１ストリップの第１ウェッビング第２端部は、第２ストリップの第２ウェッビング第２端部近傍に位置する。引裂糸がない中央に位置する非付着部を有する第１および第２のストリップの中間部。第１および第２のウェッビングストリップの中間部は、中央に位置する非付着部に続く移行引裂強度部分を生成する引裂糸構成を有する一対の減少部分を含む。エネルギアブソーバは、第１および第２の連結部材をさらに含む。第１ウェッビングストリップの第１ウェッビング第１端部および第２ウェッビングストリップの第２ウェッビング第２端部は、第１連結部材に結合される。第２ウェッビングストリップの第２ウェッビング第１端部および第１ウェッビングストリップの第１ウェッビング第２端部は、第２連結部材に結合した、その結果、落下事故の際に、第１および第２の連結部材が互いに引き離されるとき、第１および第２のウェッビングストリップの中間部を保持する引裂糸は、そこで第１および第２のストリップの中間部の両端から、ほぼ同時に引き裂かれ、第１および第２のウェッビングストリップが分離されるまでエネルギを吸収する。
【０００７】
本発明は、以下の詳細な説明と添付の図面を考慮することにより、より容易に理解することができ、さらなる利点とその使用方法がより明らかとなる。
【図面の簡単な説明】
【０００８】
【図１】図１は、本発明の１つの実施形態によるエネルギアブソーバシステムの側面図である。
【図２】図２は、図１のエネルギアブソーバシステムの側部の斜視図である。
【図３Ａ】図３Ａは、落下事故前の、本発明の１つの実施形態によるエネルギアブソーバの側面図である。
【図３Ｂ】図３Ｂは、落下事故中の、図３Ａのエネルギアブソーバの側面図である。
【図３Ｃ】図３Ｃは、落下事故発生後の、図３Ａのエネルギアブソーバの側面図である。
【０００９】
慣習に従い、本明細書に記載した様々な特徴は寸法通り描かれていないが、本発明に関連する特定の特徴が強調して記載されている。符号は、図面および明細書を通じて同様の構成要素を示している。
【発明を実施するための形態】
【００１０】
以下の詳細な説明においては、符号が添付図面に付されており、この添付図面は、その説明の一部を成し、本発明が実施され得る例示的で具体的な実施形態によって示されるものである。これらの実施形態は、当業者が本発明を実施できるように十分詳細に記載されており、当然のことながら、本発明の精神と範囲から離れることなく、その他の実施形態を利用することができるとともに、変更を行うことができる。したがって、以下の詳細な説明は限定の意味に解すべきではなく、本発明の範囲は特許請求の範囲およびその均等物によってのみ規定される。
【００１１】
本発明の実施形態は、効果的で比較的小型のエネルギアブソーバシステム１００を提供する。さらに、本発明の実施形態は、後述のように、追加のバックストラップが必要ないエネルギアブソーバを提供する。図１を参照すると、エネルギアブソーバシステム１００の実施形態が示される。エネルギアブソーバシステム１００は、第１スナップフック１０２（第１コネクタ）と、第２スナップフック１０４（第２コネクタ）とを含む。任意のタイプのコネクタが使用でき、本発明はスナップフックに限定されないことが理解されよう。エネルギアブソーバ２００は、スナップフックの間に結合される。使用中、エネルギアブソーバシステム１００は、使用者が装着する安全ベルトとランヤードとの間を、スナップフック１０２および１０４によって結合する。次に、ランヤードが支持構造体に結合される。落下事故が起きた場合、以下でさらに説明するように、スナップフック１０２および１０４は互いに引き離され、同時にエネルギアブソーバ２００がエネルギを吸収する。エネルギアブソーバ２００は、第１ウェッビングストリップ１１０と、第２ウェッビングストリップ１２０とを含む。
【００１２】
第１ウェッビングストリップ１１０およびウェッビングの第２ストリップ１２０は、図３Ａおよび３Ｂに示すように、引裂糸で一緒に組み立てられる。第１ウェッビングストリップ１１０および第２ストリップウェッビング１２０は、引裂ウェッビングとして、参照できる。ウェッビングストリップ１１０および１２０を一緒に結合するために使用される引裂糸の例は、ポリエステル引裂糸２５０である。引裂糸を製造する会社の例は、Ｎｅｗ  Ｙｏｒｋ、ＵｔｉｃａのＳｔｕｒｇｅｓ  Ｍａｎｕｆａｃｔｕｒｉｎｇ、Ｉｎｃ．Ｃｏｍｐａｎｙである。実施形態における第１ウェッビングストリップ１１０および第２ウェッビングストリップ１２０は、中央に位置する中間部分１１０ｃおよび１２０ｃをそれぞれ含む（図３Ａに示される）。第１および第２のウェッビングストリップ１１０および１２０の中央に位置する中間部分１１０ｃおよび１２０ｃは、引裂糸２５０によって一緒に組み立てられ、第１および第２のウェッビングストリップ１１０および１２０の中間部１３０を形成する。引裂糸２５０は、第１および第２のウェッビングストリップ１１０および１２０を一緒に結合する。第１および第２のウェッビングストリップ１１０および１２０は、引裂糸２５０によって一緒に保持されない両端部１１０ａと、１１０ｂと、１２０ａと、１０２ｂとを有する。１つの実施形態において、第１および第２のウェッビングストリップ１１０および１２０は、Ｖｅｃｔｒａｎから作られる。他の実施形態において、ウェッビングストリップ１１０および１２０のために、Ｄｙｎｅｅｍａ、Ｓｐｅｃｔｒａなどの、しかしそれに限定されない、その他のタイプの高強度繊維が使用される。一般的に、引裂糸２５０のために、ポリエステル繊維などの、しかしそれに限定されない、異なる材料のより強度の低い繊維が使用される。ウェッビングストリップ１１０および１２０と引裂糸２５０との間で異種材料を使用することにより、エネルギ吸収材料は、少しの空間で、高い強度を発揮することができる。また、ウェッビングストリップ１１０および１２０の繊維が、引裂糸２５０の繊維より非常に強いため、引裂糸２５０が切れたとき、ウェッビングストリップ１１０および１２０の繊維は損傷しない。
【００１３】
再び図１を参照すると、第１および第２のウェッビングストリップ１１０および１２０のそれぞれの端部（第１ウェッビング第１端部１１０ａ、第１ウェッビング第２端部１１０ｂ、第２ウェッビング第１端部１２０ａ、および第２ウェッビング第２端部１２０ｂ）は、関連したスナップフック１０２および１０４に、最大限の効果が得られるように結合される。特に、第１ウェッビングストリップ１１０の第１端部１１０ａは、第１スナップフック１０２に結合される。また、第２ウェッビングストリップ１２０の第２端部１２０ｂも、第１スナップフック１０２に結合される。第１ウェッビングストリップ１１０の第２端部１１０ｂおよび第２ウェッビングストリップ１２０の第１端部１２０ａは、第２スナップフック１０４に取り付けられる。図１に示すように、本実施形態の第１ウェッビングストリップ１１０は、ねじれ１１１を含み、ストラップ１１０および１０２は、互いに通り過ぎることができる。しかし、ねじれ１１１は、第１ウェッビングストリップ１１０に限定されない。よって、別の実施形態において、第２ウェッビングストリップ１２０は、ねじれ１１１を含む。図１にさらに示すように、本実施形態のエネルギアブソーバ２００の中間部１３０は、織物ウェッビング１１２のコイルを形成するコイル状の構成である。この構成により、未使用時、エネルギアブソーバ２００の全体的な大きさは減少する。他の実施形態において、中間部１３０は、未使用時、コイル状に巻かれる代わりに折りたたまれる。
【００１４】
図２は、エネルギアブソーバシステム１００をさらに示す。この図において、ねじれ１１１は示されない。第１ウェッビングストリップ１１０は、単に例示するために、端部１１１ａおよび１１１ｂで分離されているように、図２に示される。ウェッビングの端部１１１ａおよび１１１ｂは、図１で示すように、ねじれまたは曲り部１１１で連結していることが理解されよう。さらに示すように、第１ウェッビングストリップ１１０の第１端部１１０ａおよび第２ウェッビングストリップ１２０の第２端部１２０ｂは、それら自身の上でもう一度第１スナップフック１０２の第１連結開口１０３およびフォルダに通され、第１コネクタ部２１５を形成する。それらは、次に、ウェッビングストリップ１１０および１２０を第１スナップフック１０２に結合させるためのステッチ２２０を取り付けることによって、取り付けられる。第１ウェッビングストリップ１１０の第２端部１１０ｂおよび第２ウェッビングストリップ１２０の第１端部１２０ａは、それら自身の上でもう一度第２スナップフック１０４およびフォルダの第２連結開口１０６に通され、第２コネクタ部２１７を形成する。それらは、次に、ウェッビングストリップ１１０および１２０を第２スナップフック１０４に結合させるためのステッチ２２０を取り付けることによって、取り付けられる。図１に示すように、端部１１０ａおよび１２０ｂ、ならびに、１１０ｂおよび１２０ａの部分の上のそれぞれの折りたたみは、それぞれのコネクタ１０２および１０４が受け入れられるコネクタループ１０８ａおよび１０８ｂを形成する。
【００１５】
図２に示すスナップフックは、それぞれのフック本体部１０２ａおよび１０４ａ、ロッキングゲート１０２ｂおよび１０４ｂ、ならびに連結部１０２ｃおよび１０４ｃを含む。連結部１０２ｃおよび１０４ｃは、それぞれの連結開口１０３および１０６を含む。上述のように、スナップフック１０２および１０４は示されるが、ウェッビングストリップ１１０および１２０のコネクタループ１０８ａおよび１０８ｂに結合できる任意のタイプのコネクタが使用可能であることが理解されよう。上述のような典型的な応用において、スナップフック１０２および１０４は、作業者が装着する安全ベルトと支持構造体に結合するランヤードとの間にエネルギアブソーバシステム１００を結合するために使用される。
【００１６】
図３Ａを参照すると、未作動状態における１つの実施形態のエネルギアブソーバ２００の例が示される。この例において、エネルギアブソーバ２００は、例示するために、中間部１３０をコイル状にせずに示されている。図３Ａは、ウェッビングストリップ１１０および１２０の構成をさらに示す。特に、図３Ａは、ウェッビングストリップ１１０および１２０のそれぞれの端部１１０ａおよび１２０ｂ、ならびに、１１０ｂおよび１２０ａの位置決め、ならびに中央に位置する中間部１３０の位置決めを示す。示されるように、ウェッビングストリップ１１０および１２０の中央に位置する中間部１３０は、引裂糸２５０によって一緒に保持される。１つの実施形態において、ウェッビングストリップ１１０および１２０の中間部１３０は、中間部１３０のそれぞれの開始領域近傍に位置する、第１および第２の増加移行部分２２５ａおよび２２５ｂを含む。増加移行部分２２５ａおよび２２５ｂは、引裂強度を増加させ、落下事故が起きたとき、ウェッビングストリップ１１０および１２０の中間部１３０は、比較的低い引裂強度のために比較的容易に互いを引き離し始め、より高い所望の引裂強度に移行する。これにより、（引裂糸がない（（すなわち引裂強度がない））状態から、所望の引裂強度まで進行することによる）ウェッビングショックが、ウェッビング部分１１０および１２０に損傷を与えることを防止する。移行部分２２５ａおよび２２５ｂは、引裂糸の密度、使用される引裂糸材、および引裂糸の直径の１つを変更することによって実現できる。
【００１７】
図３Ａのエネルギアブソーバ２００の実施形態において、中間部１３０は、中央に位置する非付着部分２３０をさらに含む。中央非付着部分２３０において、第１および第２のウェッビングストリップ１１０および１２０は、引裂糸で取り付けられない。１つの実施形態において、中間部１３０の中央非付着部分２３０は、約４インチである。中央非付着部分２３０は、ウェッビングストリップ１１０および１２０が、互いを結合する（もつれる）ことを防止する。このウェッビングストリップ１１０および１２０の意図しない結合は、ウェッビングストリップ１１０および１２０が分離するときに、ウェッビング１１０のねじれ１１１（上述）により起こる可能性がある。このウェッビングストリップ１１０および１２０の結合は、ウェッビングストリップ１１０および１２０の全体の強度を損なう可能性がある。上述のように、ウェッビングストリップ１１０および１２０は、エネルギアブソーバだけでなく、バックストラップも兼ねるため、ウェッビングストリップ１１０および１２０の強度は維持される必要がある。よって、中央非付着部分２３０は、ねじれ１１１が、落下事故の終わりに、付着していないウェッビングストリップ１１０および１２０を一緒に結合することを防止する。
【００１８】
３Ａの実施形態の中間部１３０は、中央非付着部分２３０に丁寧に続く第１および第２の移行減少部分２２７ａおよび２２７ｂをさらに含む。第１および第２の移行減少部分２２７ａおよび２２７ｂは、所望の引裂強度の中間部１３０から、引裂強度のない中央非付着部分２３０まで移行する。これが、ウェッビングストリップ１１０および１２０が分離するときの、ウェッビングストリップ１１０および１２０における瞬間的なウェッビングショックを防止する。このウェッビングショックは、ウェッビングストリップ１１０および１２０の全体の強度を損なう可能性がある。上で指摘されたように、ウェッビングストリップ１１０および１２０はバックストラップとして使用されるため、ウェッビングストリップ１１０および１２０の全体の強度は保たれなければならない。１つの実施形態において、第１および第２の移行減少部分２２７ａおよび２２７ｂは、長さ約１インチである。
【００１９】
図３Ｂは、落下事故中の、エネルギアブソーバ２００を示す。示されるように、落下事故中、端部１１０ａおよび１２０ｂ、ならびに、１１０ｂおよび１２０ａは、丁寧に、互いに引き離される。それらが互いに引き離されると、引裂糸２５０は、分離領域３０２ａおよび３０２ｂに沿って切断される。よって、本実施形態において、ウェッビングストリップ１１０および１２０の中間部１３０は、一般に、同時に２つの位置３０２ａおよび３０２ｂで、互いに引き離される。エネルギアブソーバ２００は、ウェッビングストリップ１１０および１２０の中間部１３０が互いに完全に分離するまで、エネルギを吸収し続ける。これは、図３Ｃに示される。図３Ｃに示すように、ウェッビングストラップ１１０および１２０の中間部１３０は、連結していない。しかし、結合構成のために、ウェッビングストリップ１２０および１１０は、コネクタループ１０８ａと１０８ｂとの間で連結したままである。よって、典型的なエネルギ吸収システムで必要とされる従来のバックストラップが、本発明の実施形態では必要ない。実施形態において、本構成は、進展後の張力の要件に必要な強度を保持する。たとえば、１つの実施形態において、ウェッビングストリップは８，５００ポンドの引張強度を提供する。さらに、二重ウェッビングストラップ１１０および１２０は、典型的なシステムにさらなるバックストラップを提供し、さらなる安全機能を提供する。よって、落下事故中、ウェッビングストラップ１１０および１２０の一方が機能しない場合でも、他方のストラップが、エネルギアブソーバが使われたあと、ランヤードと作業者が装着する安全ベルトとの間の連結を保持するバックストラップ機能をさらに提供する。
【００２０】
本明細書に具体的な実施形態が示されかつ記載されたが、同じ目的を実現するために意図される任意の構成が、示された具体的な実施形態と置換されてもよいことは、当業者によって理解されるであろう。この適用は、本発明のあらゆる適合形態または改変形態をカバーするものである。したがって、本発明が特許請求の範囲およびその均等物だけによって限定されることが明白に意図される。
【図１】
0006045090.tif 000002
【図２】
0006045090.tif 000003
【図３Ａ】
0006045090.tif 000004
【図３Ｂ】
0006045090.tif 000005
【図３Ｃ】
0006045090.tif 000006